(57)【特許請求の範囲】
【請求項１】
電源プラグの差込口数が数種類の電気接続器にそれぞれ対応した差込口数の刃受端子が加工可能な連続刃受端子であって、
長尺の帯板状の連結板に等間隔に刃受端子を一体に形成するとともに刃受端子と刃受端子との間の連結板には電圧側の刃受端子と接地側の刃受端子との距離に設定された長さに等しい切除部を隣接する２つの刃受端子の間隔の中心を基点として一方の刃受端子側にずらして形成するとともに、該切除部の両側に連続刃受端子と電源電線との接続を中継する接続線の端部を差し込む差込穴を設け、所定の数の刃受端子を確保し、その両端の刃受端子の外側に位置する切除部を切除することにより両端部に上記差込穴が位置する連続刃受端子を形成し、２つの連続刃受け端子の一方の連続刃受端子を反転して電圧側若しくは接地側の連続刃受端子とし、他方の連続刃受端子を接地側若しくは電圧側の連続刃受端子とすることを特徴とする連続刃受端子。
【発明の詳細な説明】
【０００１】
【発明の属する技術分野】
本発明は、電源プラグの差込み口を複数設けた電気接続器に用いられる連続刃受端子に関する。
【０００２】
【従来の技術】
従来、電源プラグの差込み口を複数設けた電気接続器には差込み口に対応して電源プラグの栓刃に対応する刃受端子が配置されている。この刃受端子は電圧側の刃受端子と接地側の刃受端子とがあり、それぞれ帯板状の連結板に形成されて連続刃受端子を構成していた。
【０００３】
【発明が解決しようとする課題】
しかしながら、上述の連続刃受端子は電圧側の刃受端子を備えた連続刃受端子と、接地側の刃受端子を備えた連続刃受端子とを個別に作る必要があったり、同一の刃受端子が電圧側・接地側に共用できても終端が一致しなかったり、さらに差込み口の数に合わせた形状の連続刃受端子を作らなければならない問題があった。
【０００４】
本発明は上記問題点を解消し、電源プラグの差込口数が数種類の電気接続器にそれぞれ対応した差込口数の刃受端子を有する連続刃受端子であって、且つ同一形状の連続刃受端子を一対用意することにより、電圧側の連続刃受端子と接地側の連続刃受端子との２種類の連続刃受端子に対応することができ、更には連続刃受端子の電圧側と接地側との終端部の位置を一致させることができる電気接続器に用いられる連続刃受端子を提供することをその課題とする。
【０００５】
【課題を解決するための手段】
前記課題を解決するため、本発明に係る連続刃受端子は、電源プラグの差込口数が数種類の電気接続器にそれぞれ対応した差込口数の刃受端子が加工可能な連続刃受端子であって、長尺の帯板状の連結板に等間隔に刃受端子を一体に形成するとともに刃受端子と刃受端子との間の連結板には電圧側の刃受端子と接地側の刃受端子との距離に設定された長さに等しい切除部を隣接する２つの刃受端子の間隔の中心を基点として一方の刃受端子側にずらして形成するとともに、該切除部の両側に連続刃受端子と電源電線との接続を中継する接続線の端部を差し込む差込穴を設け、所定の数の刃受端子を確保し、その両端の刃受端子の外側に位置する切除部を切除することにより両端部に上記差込穴が位置する連続刃受端子を形成し、２つの連続刃受端子の一方の連続刃受端子を反転して電圧側若しくは接地側の連続刃受端子とし、他方の連続刃受端子を接地側若しくは電圧側の連続刃受端子とすることを特徴とする。
【０００６】
【発明の実施の形態】
図１は、本発明に係る電気接続器に用いられる連続刃受端子（以下、連続刃受端子という）１の一例を示す正面側斜視図、図２は背面側斜視図を示し、この連続刃受端子１は、例えば、図３に示すような電気接続器Ａに用いられるもので、本発明では電源プラグの差込み口１０が６個配置された電気接続器Ａに連続刃受端子１が用いられる場合について説明する。
【０００７】
この電気接続器Ａは、上ケース体１１と下ケース体１２とを上下に組合わせることにより角筒状の器体１３を形成し、この器体１３の内部に電圧側の連続刃受端子１と接地側の連続刃受端子１’とアース用の連続刃受端子６とが配置されるとともに、差込み口１０が６個配置され、器体１３の一端の開口部をエンドキャップ１４で塞ぎ、他端の開口部を電気接続器Ａと電源電線１５とを接続する接続部１８を設けた接続部ケース１６と接続部ケース１６の上面を覆う接続部カバー１７とで塞がれている（図４参照）。
【０００８】
上記差込み口１０の開口部１０ａ、１０ｂにはそれぞれ電圧側の刃受端子５、接地側の刃受端子５がそれぞれ配置され、各刃受端子５は連結板７一体に形成されて連続刃受端子１を構成しているもので、各連続刃受端子１の一端は接続線１９を介して接続部１８である接続端子板に接続し、この接続端子板１８に電源電線１５の圧着端子２０をネジ止めすることにより、電源電線１５と連続刃受端子１とが電気的に導通するようになっている（図５参照）。
【０００９】
ところで、上述の連続刃受端子１は長尺の連結板７を所定の長さに切断することにより形成することができるようになっている。
【００１０】
長尺の帯板状の連結板７の側面には２枚の端子板３、４からなる刃受端子５が所定の間隔をおいて一体に形成され、２枚の端子板３、４は中央部分を内側に折り曲げて対向接近させて圧接部３ａ、４ａを形成するとともに上部３ｂ、４ｂが外開きに形成され、電源プラグの栓刃を２枚の端子板３、４間に差し込むことにより圧接部３ａ、４ａで圧接挟持し、電源プラグの栓刃と刃受端子５とを電気的に接続できるようになっているもので、刃受端子５と刃受端子５との間隔Ｌ１は、差込み口１０と差込み口１０との間隔Ｌ２と同一になるように設定されている。
【００１１】
上記連結板７の刃受端子５と刃受端子５との間には切除部８が設けられ、この切除部８を切除することにより連続刃受端子１が形成されるようになっている。
【００１２】
上記切除部８は、図６（ａ）上において、刃受端子５と刃受端子５との間隔Ｌ１の中心から左側に電圧側の刃受端子５と接地側の刃受端子５の距離Ｌ３の長さ（図３参照）が切除部８の長さとして設定されている。
【００１３】
そして、切除部８の両側の連結板には切除部８の端部からそれぞれ等距離の位置に差込穴９ａ、９ｂが形成されている。この差込穴９ａ、９ｂは連続刃受端子１と電源電線１５との間に介在する接続端子板１８に電気的に接続するために接続線１９の一端を差し込む差込穴で、接続線１９の一端をこの差込穴９ａ、９ｂに差し込んだ後、ハンダ付けすることにより接続線１９と連続刃受端子１とが電気的に接続できるようになっている。なお、接続線１９の他端は接続端子板１８の差込穴１８ａに差し込んだ後ハンダ付けすることにより接続端子板１８と接続線１９と連続刃受端子１とが電気的に導通するようになっている。
【００１４】
上述の連続刃受端子１は差込み口１０の数に応じて差込み口１０の数と同じ刃受端子５を確保した後に切除部８を切除すればよい。図６（ｂ）は差込み口１０が６個の電気接続器Ａ用の連続刃受端子１を形成した場合を示し、切除部８の右側の連続刃受端子１が電圧側の刃受端子５ａ〜５ｆを備えた連続刃受端子１になり、左側の連続刃受端子１が接地側の刃受端子５ａ〜５ｆを備えた連続刃受端子１’になり、接地側の連続刃受端子１’を１８０度回転させることにより一方の連続刃受端子が電圧側の連続刃受端子１に、他方の連続刃受端子を接地側の連続刃受端子１’に設定される（図７参照）。
【００１５】
そして、図８に示すように電圧側の連続刃受端子１の始端部７ａと接地側の連続刃受端子１’の終端部７ｂ又は、電圧側の連続刃受端子１の終端部７ｂと接地側の連続刃受端子１’の始端部７ａの端部同士をそろえたときに他方の端部同士も一致し、しかも、電圧側の連続刃受端子１の刃受端子５ａ〜５ｆと接地側の連続刃受端子１’の刃受端子５ｆ〜５ａとのそれぞれの間隔が自動的に距離Ｌ３になるので２つの連続刃受端子の終端同士を一致させた状態で一方の連続刃受端子の刃受端子が電圧側の刃受端子を構成し、他方の連続刃受端子の刃受端子が接地側の刃受端子を構成することができ、両端部から無駄な余長を排除することができる。しかも、同一形状の連続刃受端子１でありながら一方の連続刃受端子を反転させることにより電圧側の連続刃受端子１と接地側の連続刃受端子１’とを構成することができるので、どちらの連続刃受端子が電圧側のものなのか接地側のものなのかを判断する必要がなく在庫管理なども容易にすることができる。
【００１６】
【発明の効果】
請求項１の発明によれば、長尺の帯板状の連結板に等間隔に刃受端子を一体に形成するとともに刃受端子と刃受端子との間の連結板には電圧側の刃受端子と接地側の刃受端子との距離に設定された長さに等しい切除部を隣接する２つの刃受端子の間隔の中心を基点として一方の刃受け端子側にずらして形成するとともに、該切除部の両側に連続刃受端子と電源電線との接続を中継する接続線の端部を差し込む差込穴を設け、所定の数の刃受端子を確保し、その両端の刃受端子の外側に位置する切除部を切除することにより端部に上記差込穴が位置する連続刃受端子を形成し、２つの連続刃受端子の一方の連続刃受端子を反転して電圧側若しくは接地側の連続刃受端子とし、他方の連続刃受端子を接地側若しくは電圧側の連続刃受端子に設定することができるので出荷時や組立時にどちらが電圧側なのか接地側なのかを判断する必要がなく、刃受端子の数のみを確認すればよいので在庫管理なども効率よく行なうことができる。さらに、切除部を切除した状態の連結板の端部には同じ位置に差込穴が位置することになり、電源電線と連続刃受端子を中継する接続線の長さも同じ長さでよいので、接続線を個別に用意する必要がなく無駄のない接続線の在庫管理も行なうことができる。
【図面の簡単な説明】
【図１】  本発明に係る連続刃受端子の一例を示す正面側斜視図
【図２】  上記連続刃受端子の背面側斜視図
【図３】  電気接続器の一例を示す平面図
【図４】  上記電気接続器の構成を示す分解斜視図
【図５】  上記電気接続器の正面側斜視図
【図６】  （ａ）（ｂ）は切除部を示す連続刃受端子の斜視図および切除部を切除した状態の連続刃受端子
【図７】  電圧側の連続刃受端子と接地側の連続刃受端子とを説明する斜視図
【図８】  電圧側の連続刃受端子と接地側の連続刃受端子とを並設した状態の平面図
【符号の説明】
１  連続刃受端子
５  刃受端子
７  連結板
８  切除部
９ａ、９ｂ  差込穴
１９  接続線
【図１】
0004037162.tif 000002
【図２】
0004037162.tif 000003
【図３】
0004037162.tif 000004
【図４】
0004037162.tif 000005
【図５】
0004037162.tif 000006
【図６】
0004037162.tif 000007
【図７】
0004037162.tif 000008
【図８】
0004037162.tif 000009